(57)【要約】【課題】カード挿入口を有する電子機器において簡易な方法で静電対策を施す。【解決手段】本発明に係る電子機器は、カード挿入口10を有する筐体の内部に、回路基板６と、回路基板６上に実装されたカードソケット５とを具え、該カードソケット５は、カードスロット51をカード挿入口10に向けて配置されており、該カード挿入口10からカードソケット５のカードスロット51へメモリカードを装填することが可能である。ここで回路基板６には、カード挿入口10側の端部に、基板表面のレジストを剥離してなるアース部61が形成されている。【選択図】図４
2014038477.tif 000002
【特許請求の範囲】
【請求項１】
カード挿入口を有する筐体の内部に、回路基板と、該回路基板上に実装されたカードソケットとを具え、該カードソケットは、カードスロットを前記カード挿入口に向けて配置されており、該カード挿入口からカードソケットのカードスロットへメモリカードを装填することが可能な電子機器において、前記回路基板には、前記カード挿入口側の端部に、基板表面のレジストを剥離してなるアース部が形成されていることを特徴とする、カード挿入口を有する電子機器。
【請求項２】
前記回路基板のアース部は、カードソケットよりもカード挿入口に近い位置に形成されている請求項１に記載の電子機器。
【請求項３】
前記回路基板のアース部は、カードソケットのカードスロットの開口端と回路基板のカード挿入口側の端面との間の帯状領域に、カードソケットの幅と略同一若しくはそれ以上の幅に亘って形成されている請求項２に記載の電子機器。
【請求項４】
前記カードソケットのカードスロットにメモリカードを装填した状態で、前記回路基板のアース部は、カードスロットから突出するメモリカードの端部の表面と対向することとなる請求項１乃至請求項３の何れかに記載の電子機器。
【発明の詳細な説明】
【技術分野】
【０００１】
本発明は、カード型記憶媒体であるメモリカードの装填が可能な電子機器に関するものである。
【背景技術】
【０００２】
この種の電子機器においては、筐体を構成するカバー部に、メモリカードを挿入するためのカード挿入口が開設されており、カード挿入口の奥部には、メモリカードを装填すべきカードソケットが配備されている。
カードソケットは回路基板上に搭載されており、カードソケットに装填されたメモリカードは、カードソケットに設けられたソケット端子を介して、回路基板上のパターン端子と電気的に接続されることになる。
【０００３】
ところで、メモリカードの装填が可能な電子機器においては、カード挿入口を開閉する蓋がない場合、カードソケットの端部がカード挿入口を経て外部に通じた状態となるため、例えば人体に帯電した静電気がカード挿入口を経てカードソケットに向けて放電され、これによって回路基板やメモリカードが破損する虞があった。
【０００４】
そこで、カード挿入口が開設されているカバー部に、カード挿入口の下辺の縁からメモリカードの挿入方向へ延びるリブを形成して、該リブによってソケット端子とパターン端子との接続部を覆い隠すことにより、静電対策を施すことが提案されている(特許文献１)。
【先行技術文献】
【特許文献】
【０００５】
【特許文献１】特開２００７−１１５０４４号公報
【発明の概要】
【発明が解決しようとする課題】
【０００６】
しかしながら、カード挿入口が開設されているカバー部にリブ等の遮蔽物を形成する静電対策では、筐体の設計変更を余儀なくされ、筐体を樹脂成型するための金型にも変更を加えねばならない問題がある。
そこで、本発明は、カード挿入口を有する電子機器において簡易な方法で静電対策を施すことを目的とする。
【課題を解決するための手段】
【０００７】
本発明に係る電子機器は、カード挿入口(10)を有する筐体(１)の内部に、回路基板(６)と、回路基板(６)上に実装されたカードソケット(５)とを具え、該カードソケット(５)は、カードスロット(51)を前記筐体(１)のカード挿入口(10)に向けて配置されており、該カード挿入口(10)からカードソケット(５)のカードスロット(51)へメモリカード(50)を装填することが可能である。
ここで、前記回路基板(６)には、前記カード挿入口(10)側の端部に、基板表面のレジストを剥離してなるアース部(61)が形成されている。
【０００８】
上記本発明の電子機器において、回路基板(６)のアース部(61)は、回路基板(６)の表面を覆っているレジストを剥離して、その下層に形成されているグランドパターンを露出させることによって形成される。
【０００９】
該電子機器によれば、カード挿入口(10)からカードソケット(５)のカードスロット(51)にメモリカード(50)を装填した状態で、例えば人体に帯電した静電気がカード挿入口(10)から筐体(１)の内部へ向けて飛んだとしても、カード挿入口(10)から近い位置に回路基板(６)のアース部(61)が形成されているので、カード挿入口(10)を通過した静電気は、その殆どが回路基板(６)のアース部(61)に吸収されることになる。この結果、静電気の放電による回路基板(６)やメモリカード(50)の破損を抑制することが出来る。
【００１０】
具体的な態様において、前記回路基板(６)のアース部(61)は、カードソケット(５)よりもカード挿入口(10)に近い位置に形成されている。
該具体的態様によれば、カード挿入口(10)を通過した静電気は、カードソケット(５)よりも近い位置に形成されている回路基板(６)のアース部(61)に先ず流れ込むことになる。
【００１１】
更に具体的な態様において、前記回路基板(６)のアース部(61)は、カードソケット(５)のカードスロット(51)の開口端と回路基板(６)のカード挿入口(10)側の端面(62)との間の帯状領域に、カードソケット(５)の幅と略同一若しくはそれ以上の幅に亘って形成されている。
該具体的態様によれば、カード挿入口(10)を静電気が通過する際、カード挿入口(10)の幅方向の両端部間の何れの位置を通過する静電気も、回路基板(６)のアース部(61)に流れ込むことになる。
【発明の効果】
【００１２】
本発明に係るカード挿入口を有する電子機器によれば、回路基板の表面を覆っているレジストを剥離するだけの簡易な方法によってアース部を形成することが出来、該アース部によって静電対策を施すことが出来る。
【図面の簡単な説明】
【００１３】
【図１】図１は、本発明の一実施形態による電子機器の斜視図である。
【図２】図２は、該電子機器に１枚のメモリカードが挿入されている状態を示す斜視図である。
【図３】図３は、該電子機器を背面側から見た斜視図である。
【図４】図４は、該電子機器の内部に収容されている回路基板を示す斜視図である。
【図５】図５は、該回路基板上のカードソケットにメモリカードを装填する様子を示す斜視図である。
【図６】図６は、カード挿入口とカードソケットの位置関係を示す一部破断斜視図である。
【図７】図７は、カードソケットにメモリカードが装填されている状態において回路基板のアース部の位置を説明する断面図である。
【発明を実施するための形態】
【００１４】
以下、本発明の実施の形態につき、図面に沿って具体的に説明する。
図１〜図３は、本発明の一実施形態である電子機器を示している。該電子機器は、合成樹脂製の上面キャビネット(11)、底面キャビネット(12)、前面カバー(13)及び背面カバー(14)からなる直方体状の筐体(１)を具え、上面キャビネット(11)には複数の操作キー(３)が配備されると共に、ディスプレイ(４)の画面が露出している。
【００１５】
筐体(１)の前面カバー(13)には、２つのカード挿入口(10)(10)が開設されており、各カード挿入口(10)には、図２に示す如く例えばＳＤカード等のメモリカード(50)を挿入することが出来る。
【００１６】
又、図３に示す如く筐体(１)の背面カバー(14)には、アナログの音声信号及び映像信号を入力するための一対の音声入力端子(31)(32)及び映像入力端子(33)やＳ映像端子(34)が配備されると共に、デジタルの音声信号及び映像信号を出力するためのＨＤＭＩ端子(35)やＵＳＢ端子(36)が配備されている。
更に筐体(１)の背面カバー(14)には電源端子(37)が配備されている。
【００１７】
筐体(１)の内部には、図４に示す如く前面カバー(13)と直交する向きに回路基板(６)が配備されており、該回路基板(６)上に、前述の複数の端子(31)〜(37)が搭載されている。
又、回路基板(６)には、一対の音声入力端子(31)(31)及び映像入力端子(33)、或いはＳ映像端子(34)から入力されたアナログの音声信号及び映像信号を、デジタルの音声信号及び映像信号に変換して、ＨＤＭＩ端子(35)或いはＵＳＢ端子(36)へ供給するための、Ａ／Ｄ変換回路や電源回路等の電子回路(図示省略)が実装されている。
【００１８】
更に回路基板(６)上には、図５に示す如くメモリカード(50)を装填すべき２つのカードソケット(５)(５)が実装されており、カードソケット(５)に装填されたメモリカード(50)に対して上述のデジタル音声信号及び映像信号を記録し、或いはメモリカード(50)からデジタル音声信号及び映像信号を読み出して、ＨＤＭＩ端子(35)或いはＵＳＢ端子(36)へ供給することが可能となっている。
又、図１に示すディスプレイ(４)によって映像の表示が可能となっている。
【００１９】
カードソケット(５)は、図６に示す如く前面カバー(13)のカード挿入口(10)に向けて配置されており、カード挿入口(10)からメモリカード(50)を挿入して、該メモリカード(50)を筐体(１)内へ押し込むことによって、図７の如く、カードソケット(５)のカードスロット(51)内にメモリカード(50)を装填することが出来る。
尚、カードソケット(５)は、カードスロット(51)を包囲する周壁が金属によって形成されている。
【００２０】
カードソケット(５)(５)が実装されている回路基板(６)の表面には、図４〜図６に示す如く、回路基板(６)のカード挿入口(10)側の端面(62)に沿って、基板表面のレジストを剥離してなるアース部(61)が形成されている。
該アース部(61)は、回路基板(６)のカード挿入口(10)側の端面(62)と両カードソケット(５)(５)のカードスロット(51)(51)の開口端との間の帯状領域(図中にハッチングで示す)に、両カードソケット(５)(５)の幅よりも大きな幅に形成されている。
【００２１】
尚、回路基板(６)のアース部(61)は、回路基板(６)の表面を覆っているレジストを剥離して、その下層に形成されている銅製のグランドパターンを露出させることによって形成されるものである。
【００２２】
図７に示す如く、回路基板(６)は、カード挿入口(10)が開設されている筐体(１)の前面カバーの背面に近接して配置されているのに対し、カードソケット(５)は、筐体(１)のカード挿入口(10)よりも稍奥方に配置されており、回路基板(６)のアース部(61)は、カードソケット(５)よりもカード挿入口(10)に近い位置に形成されている。
この結果、カードソケット(５)のカードスロット(51)にメモリカード(50)が装填された状態で、回路基板(６)のアース部(61)は、カードソケット(５)のカードスロット(51)から突出するメモリカード(50)の端部表面と僅かな空隙をおいて対向することになる。
【００２３】
上記電子機器によれば、回路基板(６)のアース部(61)がカード挿入口(10)から露出する位置であって、且つカードソケット(５)よりもカード挿入口(10)に近い位置に形成されているので、カードソケット(５)のカードスロット(51)にメモリカード(50)を装填した状態で、例えば人体に帯電した静電気がカード挿入口(10)から筐体(１)の内部へ飛び込んだとしても、カード挿入口(10)を通過した静電気は、その殆どが回路基板(６)のアース部(61)に吸収されることになる。
【００２４】
又、回路基板(６)のアース部(61)は、両カードソケット(５)(５)よりも幅広に形成されているので、カード挿入口(10)を静電気が通過する際、カード挿入口(10)の幅方向の両端部間の何れの位置を通過する静電気も、回路基板(６)のアース部(61)に流れ込むことになる。
【００２５】
従って、カード挿入口(10)を通過した静電気がカードソケット(５)へ流れ込むことは殆どなく、この結果、静電気の放電による回路基板(６)やメモリカード(50)の破損を抑制することが出来る。
【００２６】
上記電子機器によれば、回路基板(６)の表面を覆っているレジストを剥離するだけの簡易な方法によってアース部(61)を形成し、該アース部(61)によって静電対策を施すことが出来る。
【００２７】
尚、本発明の各部構成は上記実施の形態に限らず、特許請求の範囲に記載の技術的範囲内で種々の変形が可能である。例えば、上記実施形態では、筐体(１)のカード挿入口(10)を開閉する蓋が設けられていない構成が採用されているが、カード挿入口(10)を開閉する蓋が設けられている構成においても、本発明によれば、該蓋による静電気の遮蔽効果と相俟って、より効果的な静電対策を施すことが出来る。
又、本発明は、上記実施形態の如き信号変換を主機能とする電子機器に限らず、メモリカードの装填が可能な種々の電子機器に実施することが出来る。
【符号の説明】
【００２８】
(１)  筐体
(13)  前面カバー
(10)  カード挿入口
(５)  カードソケット
(51)  カードスロット
(６)  回路基板
(61)  アース部
(62)  端面
(50)  メモリカード
【図１】
2014038477.tif 000003
【図２】
2014038477.tif 000004
【図３】
2014038477.tif 000005
【図４】
2014038477.tif 000006
【図５】
2014038477.tif 000007
【図６】
2014038477.tif 000008
【図７】
2014038477.tif 000009